(57)【要約】【課題】遺体の劣化及び変敗を抑止し、長期間の保存が可能な遺体保存装置を提供する。【解決手段】遺体を収容する収容電極、収容電極を取り囲む中間電極及び中間電極を取り囲む筐体電極から構成され、収容電極と中間電極が電気的に絶縁され、中間電極と筐体電極が電気的に絶縁され、収容電極が高圧電源を接続し、筐体電極が接地された遺体保存装置。さらに、収容電極内を冷却する冷却装置、収容電極内をの湿度を張設する調湿装置を備える。収容体電極及び中間電極は通気性を有する容易にし、収容電極内に遺体を搬入及び搬出するための扉を備える。【選択図】図３
2016087054.tif 000002
【特許請求の範囲】
【請求項１】
遺体を収容する収容電極、前記収容電極を取り囲む中間電極及び前記中間電極を取り囲む筐体電極からなり、
前記収容電極と前記中間電極が電気的に絶縁され、前記中間電極と前記筐体電極が電気的に絶縁され、
前記収容電極が高圧電源に接続され、前記筐体電極が接地された遺体保存装置。
【請求項２】
さらに、前記収容電極内を冷却する冷却装置を備えた、請求項１の遺体保存装置。
【請求項３】
さらに、前記収容電極内をの湿度を張設する調湿装置を備えた、請求項１の遺体保存装置。
【請求項４】
前記収容体電極及び中間電極が通気性を有する、請求項２又は請求項３の遺体保存装置。
【請求項５】
前記収容電極内に遺体を搬入及び搬出するための扉を備えた、請求項１の遺体保存装置。
【請求項６】
前記高圧電源、前記冷却装置及び前記調湿装置が付属した、請求項２又は請求項３の遺体保存装置。
【発明の詳細な説明】
【技術分野】
【０００１】
本発明は遺体の保存を０℃以下の低温でありながら凍結することなく保存する装置に係る。
【背景技術】
【０００２】
死後火葬が行われるまでには葬儀等に要する時間が必要であり、その間遺体を損傷することなく安定に保存しなければならない。また、火葬施設の都合等で短時日内に火葬することができず、長期間保存せざるを得ないことがある。
【０００３】
従来、遺体の保存は冷却装置によりて−２℃程度以下の低温で行われているが、−２℃程度以下の低温で保存すると凍結、乾燥、結露等により遺体が劣化する。
【０００４】
特開２０１２−２１７７０７号公報にあるように遺体は冷蔵装置、冷凍装置あるいはドライアイスを利用して冷蔵・冷凍保存されるが、冷蔵温度は０℃以上の温度であるため、長期間保存すると内臓等が腐敗する。また、冷蔵庫内は低湿度環境であるため遺体が過度に乾燥する。
【０００５】
冷凍保存の場合には腐敗による遺体損傷の問題はないが、解凍が必要となり、解凍の際に遺体が損傷される。
【０００６】
ドライアイスを使用する場合は、冷蔵・冷凍のように装置内で行わないため遺体保存の効果が限定的であるだけでなく、冷却材料として用いるドライアイスの費用は高額である。
【先行技術文献】
【特許文献】
【０００７】
【特許文献１】特開２０１２−２１７７０７号公報
【特許文献２】特開平１０−２７６７４４号公報
【発明の概要】
【発明が解決しようとする課題】
【０００８】
本出願に係る発明は、遺体の劣化及び変敗を抑止し、長期間の保存を可能とする装置を提供することを課題とする。
【課題を解決するための手段】
【０００９】
交流強電場にある水が−５℃という氷点下の温度でも凍結しない現象が知られている。この現象は水だけの状態だけではなく、水が他の物質と共存している状態、例えば細胞内の水においても同様であり、この現象を利用した冷蔵庫及び解凍庫が提案されている。
【００１０】
本出願に係る発明においては、遺体保存装置に保存される遺体に交流高電圧電場を印加する電極を設け、この電極に交流高電圧を供給する電源装置及び−５℃に冷却する冷却機を付属させる。
【００１１】
本出願では以下の構成を有する遺体保存装置を提供する。
遺体を収容する収容電極、収容電極を取り囲む中間電極及び中間電極を取り囲む筐体電極から構成され、収容電極と中間電極が電気的に絶縁され、中間電極と筐体電極が電気的に絶縁されており、収容電極が高圧電源に接続され、筐体電極が接地される。
【００１２】
また、本発明の遺体保存装置には高圧電源、冷却装置及び調湿装置が付属して設けられ、これらの付属装置は適宜取り外すことも可能にされる。
【００１３】
さらに、本発明の遺体保存装置は、収容体電極及び中間電極が通気性を有するようにする。
【００１４】
保存されている遺体を納棺するために外部に搬出する必要があるため、遺体保存装置の側面に遺体搬出用の扉を設ける。
【００１５】
電源装置、冷却機、給湿機及び除湿器が大きくなり運搬が困難である場合には、遺体保存装置を長手方向に分割可能にする。
【発明の効果】
【００１６】
従来の遺体の保存安定方法では低温保存温度が−２℃程度以下に温度設定をすると、遺体の凍結、乾燥、結露等問題が発生し、士０℃程度以上に湿度設定をすると、遺体の劣牝、変敗、悪臭等の発生抑制が極めて難しい。
【００１７】
本発明にかかる電場処理遺体保存装置を用いる事により、それらの問題を解決し、冷却材料としで用いるドライアイスの消費量が高額となる問題も解決される。
【００１８】
遺体収容装置の内部に交流高電圧電場を印加することにより、遺体収容装置を−５℃という氷結温度下にしても、遺体が凍結することなく、解凍による遺体の腐敗・損傷が防止される。
【図面の簡単な説明】
【００１９】
【図１】本発明の遺体保存装置の概略構造図
【図２】本発明の遺体保存装置電源回路の概略図
【図３】本発明の遺体保存装置の動作説明図
【図４】本発明の遺体保存装置の使用説明図
【発明を実施するための形態】
【００２０】
図１に本発明の遺体保存装置の概略構造図を示す。
図１において（ａ）は遺体保存装置の正面断面図、（ｂ）は側面断面図、（ｃ）は平面断面図である。
遺体保存装置１は、遺体を収容する遺体保存装置本体１と付属装置である電場発生電源装置、冷却装置及び調湿装置を収容する機械室２から構成される。
【００２１】
遺体保存装置本体１は、筐体電極３と、中間電極体４と、遺体収容電極体５から構成されている。
【００２２】
機械室２には、遺体保存のための電場を発生する電場発生電源装置、遺体を冷却する冷却装置、湿度を調節する調湿装置が収容される。
【００２３】
機械室２は遺体保存装置の本体と一体にすることも、別体にすることも可能である。
【００２４】
筐体電極３は、ステンレス材等の適宜な材料で構成された長方形の箱であり、６面全てが電気的に接続されている。
中間電極４は、絶縁部材６により筐体３と電気的に絶縁されて筐体１の内部に収納された筐体と相似形のステンレス材等の適宜な材料で構成された箱であり、６面全てが電気的に接続されている。
なお、中間電極４には通気性を持たせることが望ましい。
【００２５】
収容体電極５は、絶縁部材７により中間電極４と電気的に絶縁されて中間電極４の内部に収納された筐体電極３と相似形のステンレス材等の適宜な材料で構成されたであり、６面全てが電気的に接続されている。
なお、収容体電極５には通気性を持たせることが望ましい。
【００２６】
図２に本発明の遺体保存装置に用いる電源回路の概略図を示す。
交番高電圧微弱電流発生器において、塩化ビニール等のケーシング内に変圧器１１が設置されている。
変圧器１１の一次側巻線の端子は、商用周波数の１００Ｖの交流電源１４に接続される。
【００２７】
二次側巻線は、抵抗１２を介装しており、端子１３から５ｋＶ〜１０ｋＶ、１０ｍＡ〜１００ｍＡ程度の交番高電圧微弱電流が供給される。
なお、二次側巻線の端子１３ではない側の端子は接地される。
【００２８】
冷却装置は遺体を−７℃〜０℃に維持できるように冷却空気を供給する。また、冷却空気に芳香剤、消臭剤を含ませ、棺内の空気を吸入処理し、死臭が外部に漏出しないようにする。
【００２９】
調湿装置は収容された遺体が過度に乾燥あるいは湿潤することで損傷しないように適切な湿度を維持する。
【００３０】
図３を用いて、本発明の遺体保存装置１の作動原理を説明するが、この図に示したのは図１（ｂ）に示した遺体保存装置１の側面断面拡大図である。
この図において、遺体保存装置１の筐体電極３は接地され、収容体電極５は交番高電圧微弱電流発生器の端子１３に接続されるが、中間電極４はどこにも接続されることなく電気的に浮いている。
また、遺体は収容された収容体電極５と電気的に接続されている。
【００３１】
遺体保存装置１の動作原理を説明するために、（ａ）に交番高電圧微弱電流発生器の端子１３が正電位である場合の状態を、（ｂ）に交番高電圧微弱電流発生器の端子１３が負電位である場合の状態を示す。
【００３２】
（ａ）において、収容体電極３が接続されている端子１３の交番電流電位が正であるため、収容体電極は正電位であり、正電荷が収容体電極３の表面にのみ存在する。遺体は導電体であり収容帯電極と電気的に接続されているため、遺体の表面にも正電荷が存在するようになる。
【００３３】
遺体は導電体でもあるが同時に誘電体でもある。そのため、遺体の内部に負電荷が誘起される。
このことにより、遺体表面の正電荷から遺体内側の負電荷に向かう電気力線が発生する。
【００３４】
（ｂ）において、収容体電極３が接続されている端子１３の交番電流電位が負であるため、収容体電極は負電位であり、負電荷が収容体電極３の表面にのみ存在する。遺体は導電体であり収容帯電極と電気的に接続されているため、遺体の表面にも負電荷が存在するようになる。
遺体は導電体でもあるが同時に誘電体でもある。そのため、遺体の内部に正電荷が誘起される。
このことにより、遺体内側の正電荷から遺体表面の負電荷に向かう電気力線が発生する。
【００３５】
交番高電圧微弱電流発生器に供給される電流は、日本の場合は５０Hzあるいは６０Hzの交流である。この交番電流によって遺体を通過する電気力線が変化する。
【００３６】
同極性の交流微弱電流高電圧を印可される収容体電極と該電極内に収容される遺体は、収容体電極と同期する電極体となる。収容体電極の外側に設けられた浮電極は、収容体電極に対して逆極性の電極であるため、電極体となった遺体中の電荷は、収容体電極を介して浮電極に対して規則的且つ、持続的に逆向運動する。
即ち、遺体の電荷は、常時回転運動を持続し加えて、規則的配列化を持続するため、遺体の劣化変敗を抑制する事が可能となる。
【００３７】
同極性の交流微弱電流高電圧を印可された収容体電極内に収容された遺体は、収容体電極に印可される同極性の交流微弱電流高電圧を受ける為、遺体内水分は分極を誘起される。分極の持続は、遺体内の水分子の細分化条件が持続される即ち、遺体内水分は難凍結水化を進行させる為、マイナス温度にても凍結しにくい水に変化ずる為、ドライアイス不要の遺体の不凍結保存が実現できる。
【００３８】
収容体電極と同期する電極体となった遺体は、収容体電極内の低温空気が構成する絶縁層に取り囲まれて収容されている。前記遺体と前記低温空気が構成する絶縁層とは誘電率が異なる為、遺体の界面に動電現象が発生ずる。そのため、収容体電極内の低湿度と遺体の界面動電現象により、遺体の表層部の雑菌繁殖抑制効果と電界消臭効果がえられる。
【００３９】
本遺体保存装置の稼働中に、遺体との対面等による蓋の度重なる開閉が行われると、遺体の結露が生し、長時聞の低温運転が行われると遺体の乾燥が発生する。これを抑止するために、定温・定湿装置を用いで保存温度、保存湿度の自動調節管理を行う。
【００４０】
また、−６０℃という低温により遺体を凍結させることがあるドライアイスを使用しなくても済むため、遺体を解凍する際に発生しがちな損傷を防止することができる。
さらに、長期間使用すると費用が嵩むドライアイスを使用する必要がない。
【００４１】
本発明の遺体保存装置の実験データを示すが、実際に遺体を用いて実験することはできないため、模擬的に水を実験材料とした実験と、魚を実験材料とした結果を示す。
【００４２】
［模擬実験１］
内部容量が１２００Lの収容体電極に１０００Lの水道水を用いて内部温度を−５℃に設定して、７日間連続運転したが、水道水は凍結しなかった。
【００４３】
［模擬実験２］
本発明にかかる電場処理遺体保存装置を、
内部容量が１２００Lの収容体電極に１０００Lの水道水を用い、遺体の代わりに２０ｋｇの魚を用い、収容体電極の内部温度を−５℃に設定し、７日間連続運転して雑菌の繁殖、劣化変敗、腐臭発生、乾燥等の試験を行った。
魚は、内臓の凍結、変敗、色調変化、悪臭発生、身肉、血液の凝血、変色、乾燥変形等は認められなかった。更に、一般生菌検査にても初菌数量から著しく減少した。
【００４４】
図４に、本発明の遺体保存装置の具体的な使用例を示す。
遺体保存装置本体１の底側には、機械室２から遺体収容電極５の内部への配線、給排気管等の配線、給排管が設けられ、機械室２の底部には、複数のキャスタ−が取り付けられる。遺体保存装置本体１の前面にほ上側から下方向へ向げで開く扉１０が設けられている。
この扉１０は側面以外に、上面あるいは端面に設けることも可能である。
【００４５】
浮電極４は全体が通気性に富む形状で成り導電性金属で成る。収容電極５の扉１０は、開くと浮電極４の内部に収納きれる収容体電極が遺体搬入搬出のための台となる。
【図１】
2016087054.tif 000003
【図２】
2016087054.tif 000004
【図３】
2016087054.tif 000005
【図４】
2016087054.tif 000006